(57)【要約】【課題】高精度でコストを抑えて、投射されたテストパターンを検出する。【解決手段】プロジェクタ２０はテストパターン画像３１をスクリーン３０に投射する。テストパターン撮影装置１０は複数レンズ１２−１、〜、１２−４と撮像素子１１とを備え、スクリーン３０上のテストパターン画像３１を撮影する。複数レンズ１２−１、〜、１２−４の各々は、スクリーン３０と撮像素子１１と間に、並列に配置され、スクリーン３０上の複数分割された撮影領域３２−１、〜、３２−４の各々内のテストパターン画像を、撮像素子１１面が複数に分割された分割面の各々に結像する。これにより、テストパターン撮影装置１０は、テストパターン画像の複数特定部分、ここでは４角形状のテストパターン画像の４隅域部を、各レンズで拡大して１つの撮像素子１１で並列して同時に撮影する。【選択図】      図１
2005191720.tif 000002
【特許請求の範囲】
【請求項１】
プロジェクタがスクリーンに投射するテストパターン画像を撮影するテストパターン撮影装置であって、
前記スクリーンに投射されたテストパターン画像の複数特定部分の各々を、並列して同時に撮影する手段を有することを特徴とするテストパターン撮影装置。
【請求項２】
プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、
前記複数レンズの各々は、前記スクリーンに投射されたテストパターン画像の複数特定部分の各々を、前記撮像素子に結像することを特徴とするテストパターン撮影装置。
【請求項３】
プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、
前記複数レンズの各々は、前記スクリーンに投射されたテストパターン画像の複数特定部分の各々を、前記撮像素子に並列して同時に結像することを特徴とするテストパターン撮影装置。
【請求項４】
プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、
前記複数レンズの各々は、前記スクリーンに投射されたテストパターン画像の複数特定部分の各々を、前記撮像素子の複数分割面の各々に結像することを特徴とするテストパターン撮影装置。
【請求項５】
前記スクリーンに投射されたテストパターン画像が、４角形状を有し、前記複数レンズの各々は、前記４角形状テストパターン画像の４隅部の各々を含む特定部分を、前記撮像素子に結像することを特徴とする請求項２、３、４のうちのいずれか一項記載のテストパターン撮影装置。
【請求項６】
前記撮像素子は、一個の撮像素子で構成されていることを特徴とする請求項２、３、４、５のうちのいずれか一項記載のテストパターン撮影装置。
【発明の詳細な説明】
【技術分野】
【０００１】
本発明は、プロジェクタによりスクリーンに投射されたテストパターン画像を撮影する技術に関する。
【背景技術】
【０００２】
従来、プロジェクタによりスクリーンに投射されたテストパターン画像を撮影するテストパターン撮影装置は、撮像素子の中心線上に位置されるレンズによりテストパターン画像を撮像素子に結像するよう構成されている（例えば、特許文献１）。
【０００３】
さらに詳細に示すと、図２に示されるように、撮像素子１１０の中心から鉛直方向に位置するレンズ１２０と撮像素子１１０とからなるテストパターン撮影装置１００は、プロジェクタ２００がスクリーン３００に投射するテストパターン画像３１０を撮影するよう構成されている。
【０００４】
【特許文献１】特開２０００−２４１８７４号公報
【発明の開示】
【発明が解決しようとする課題】
【０００５】
従来のテストパターン撮影装置１００のレンズ１２０は、スクリーン３００上のテストパターン画像３１０とテストパターン画像３１０の外側とを含む撮影領域３２０を、撮像素子１１０上に撮影像１３０として結像しているので、テストパターン画像３１０の４隅を詳細に解析するのには、撮像素子１１０の解像度が不足するという課題を有する。
【０００６】
本発明の目的は、従来のこの様な課題を解決し、プロジェクタから投射された映像又はテストパターン投射装置から投射されたテストパターン画像を、高い精度で、しかもコストの増加を抑えて、検出する技術を提供することにある。
【課題を解決するための手段】
【０００７】
本発明のテストパターン撮影装置は、プロジェクタがスクリーンに投射するテストパターン画像を撮影するテストパターン撮影装置であって、前記スクリーンに投射されたテストパターン画像の複数特定部分の各々を、並列して同時に撮影する手段を有することを特徴とする。
【０００８】
また、本発明のテストパターン撮影装置は、プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、前記複数レンズの各々は、前記スクリーンに投射されたテストパターン画像の複数特定部分の各々を、前記撮像素子に結像することを特徴とする。
【０００９】
さらに、本発明のテストパターン撮影装置は、プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、前記複数レンズの各々は、前記スクリーンに投射されたテストパターン画像の複数特定部分の各々を、前記撮像素子に並列して同時に結像することを特徴とする。
【００１０】
また、本発明のテストパターン撮影装置は、プロジェクタがスクリーンに投射するテストパターン画像を撮影するテストパターン撮影装置であって、
テストパターン画像を撮像する撮像素子と、前記スクリーンと前記撮像素子間に、互いに並列に配置された複数レンズとを備え、前記複数レンズの各々は、前記スクリーンに投射されたテストパターン画像の複数特定部分の各々を、前記撮像素子の複数分割面の各々に結像することを特徴とする。
【００１１】
さらに、本発明のテストパターン撮影装置は、前記スクリーンに投射されたテストパターン画像が、４角形状を有し、前記複数レンズの各々は、前記４角形状テストパターン画像の４隅部の各々を含む特定部分を、前記撮像素子に結像することを特徴とする。
【００１２】
また、本発明のテストパターン撮影装置は、前記撮像素子は、一個の撮像素子で構成されていることを特徴とする。
【発明の効果】
【００１３】
本発明は、スクリーン上に投射されたテストパターン画像の複数特定部分の各々を、複数レンズの各々で拡大し、１つの撮像素子で、並列して同時に撮影するよう構成されているので、高い精度で、しかもコストを抑えて、テストパターン画像を検出できるという効果がある。
【発明を実施するための最良の形態】
【００１４】
次に、本発明の実施の形態について図面を参照して詳細に説明する。
【００１５】
図１は、本発明の実施形態の構成ブロック図である。
【００１６】
図１を参照して、本発明のテストパターン撮影システムは、テストパターン撮影装置１０と、プロジェクタ２０と、スクリーン３０とを有して構成される。
【００１７】
プロジェクタ２０は、画像及びテストパターン画像をスクリーン３０に投射する機能を有する。
【００１８】
スクリーン３０は、プロジェクタ２０からの画像及びテストパターン画像３１を写す機能を有する。
【００１９】
テストパターン撮影装置１０は、複数のレンズ１２−１、１２−２、１２−３、１２−４と、撮像素子１１とを備え、スクリーン３０上のテストパターン画像３１を撮影する機能を有する。
【００２０】
複数のレンズ１２−１、１２−２、１２−３、１２−４の各々は、スクリーン３０と撮像素子１１と間に、平面状に並列に配置され、スクリーン３０上の、複数に分割された撮影領域３２−１、３２−２、３２−３、３２−４の各々内のテストパターン画像を、撮像素子１１面が複数に分割された分割面の各々に、結像するものである。
【００２１】
撮像素子１１は、複数の画素数を有し、撮影領域３２−１、３２−２、３２−３、３２−４の各々内のテストパターン画像を、並列して撮像する機能を有する。
【００２２】
次に、本発明の実施形態の動作について図面を参照して詳細に説明する。
【００２３】
図１を参照して、プロジェクタ２０は、テストパターン画像３１をスクリーン３０に投射する。ここでは、テストパターン画像３１は、４角形状を例としているが、これに制限されないで、任意の形状のテストパターン画像でも良い。
【００２４】
スクリーン３０は、プロジェクタ２０からのテストパターン画像３１を表示する。
【００２５】
レンズ１２−１は、スクリーン３０上のテストパターン画像３１の第１隅と第１隅の外側域とを含む撮影領域３２−１内の画像を、撮像素子１１の第１分割面に撮影像１３−１として結像する。同様に、レンズ１２−２は、スクリーン３０上のテストパターン画像３１の第２隅と第２隅の外側域とを含む撮影領域３２−２内の画像を、撮像素子１１の第２分割面に撮影像１３−２として結像する。同様に、レンズ１２−３は、スクリーン３０上のテストパターン画像３１の第３隅と第３隅の外側域とを含む撮影領域３２−３内の画像を、撮像素子１１の第３分割面に撮影像１３−３として結像する。同様に、レンズ１２−４は、スクリーン３０上のテストパターン画像３１の第４隅と第４隅の外側域とを含む撮影領域３２−４内の画像を、撮像素子１１の第４分割面に撮影像１３−４として結像する。
【００２６】
撮像素子１１の分割面の各々は、複数の撮影領域３２−１、３２−２、３２−３、３２−４内の画像の各々を、並列して同時に撮影する。
【００２７】
本発明によるテストパターン撮影装置１０の解像度と、従来技術によるテストパターン撮影装置１００の解像度とを比較する。
【００２８】
本発明で示した撮影領域３２−１、３２−２、３２−３、３２−４の面積の各々が、従来技術で示した撮影領域３２０の面積の１／１６と仮定し、また、本発明で示した撮像素子１１と従来技術で示した撮像素子１１０とは同一と仮定する。
【００２９】
このとき、撮影領域３２−１、３２−２、３２−３、３２−４の各々を撮影するに必要な撮像素子１１の画素数の各々は、従来技術で示した撮影領域３２０を撮影するに必要な画素数の１／４になるが、撮影領域３２−１、３２−２、３２−３、３２−４の各々の面積が、従来技術で示した撮影領域３２０の面積の１／１６となるので、本発明によるテストパターン撮影装置１０の解像度は、従来技術によるテストパターン撮影装置１１０の解像度に比べて、４倍になる。したがって、本発明によるテストパターン撮影装置１０は、より高精度でテストパターン画像を解析できる。
【００３０】
以上述べたように、本発明によるテストパターン撮影装置１０は、テストパターン画像の複数特定部分を、ここでは、４角形状のテストパターン画像の４隅域部を、各レンズで拡大して１つの撮像素子１１で、並列して同時に撮影するよう構成されているので、自動台形補正を行う際、高い精度で４隅のテストパターン画像を検出できる。
【００３１】
また、本発明によるテストパターン撮影装置１０は、１つの撮像素子１１でテストパターン画像の複数特定部分を撮影するよう構成されているので、コストの増加を抑えて高い精度でテストパターン画像を検出することができる。
【００３２】
以上では、４個の撮影領域内の各々のテストパターン画像を、４個のレンズの各々で、撮像素子に結像するよう構成されるテストパターン撮影装置を開示したが、この個数に制限されなく、撮影領域の個数を任意の数で、そして、この個数に対応する個数のレンズを使用して構成されるテストパターン撮影装置にも本発明が、適用できる。
【図面の簡単な説明】
【００３３】
【図１】本発明の実施形態の構成ブロック図である。
【図２】従来のテストパターン撮影装置の構成図である。
【符号の説明】
【００３４】
１０    テストパターン撮影装置
１１    撮像素子
１２−１、１２−２、１２−３、１２−４    レンズ
２０    プロジェクタ
３０    スクリーン
３１    テストパターン画像
３２−１、３２−２、３２−３、３２−４    撮影領域
【図１】
2005191720.tif 000003
【図２】
2005191720.tif 000004